(57)【要約】      （修正有）【課題】既設の偏心管に簡単に取り付けでき、温浴ミストサウナやクールダウンミストサウナ温度が安定して得られ、暖房冷房可能なミストノズル付混合栓の提供。【解決手段】新しく混合栓の製造をする場合は、ミストノズル９を取り付けるための分岐部を追加し、給湯側と給水側の分岐部に当該目的のミストノズル９用の開閉バルブとミストノズル９を追加するだけで比較的簡単にできる。温浴ミストサウナでは湯と水を混合する前の高温がミストノズル９から出るようにし、クールダウンミストサウナでは湯と水を混合する前の水道水がミストノズル９から出るようにした。温浴ミストサウナの高温とシャワーの適度な温度と同時使用した場合でもそれぞれの温度が安定して得られ、また、クールダウンミストサウナの水道水温度とシャワーの適度な温度と同時使用した場合でもそれぞれの温度が安定して得られるようにした。【選択図】図２
2010275689.tif 000002
【特許請求の範囲】
【請求項１】
浴室内の壁に給湯配管と給水配管の各接続口があり、混合栓の偏心管に給湯側と給水側の接続口を接続する混合栓において（新しく混合栓にサウナ暖房冷房目的でミストノズルを給湯側と給水側に追加し製造したものを含む）、
給湯側の偏心管自体に分岐部を追加し、または、偏心管と、湯と水を混合する部分の中間に位置する部分にソケットを追加し、分岐ができるようにし、追加した分岐部に直接当該目的のミストノズルを取り付けて使用することにより、給湯側のミストノズル開閉バルブを開き反対側を閉めると、
混合栓の湯と水を混合する前の高温の湯がミストノズルから噴霧できミストサウナおよび浴室暖房し、同時使用した時の混合栓のシャワーや蛇口は湯と水を混合した後の適度の湯が供給され、同時にミストノズルとシャワーや蛇口を使用してもどちらも、それぞれの安定した温度が供給され、温浴ミストサウナとシャワー等が同時に可能であり、
給水側の偏心管自体に分岐部を追加し、または、偏心管と、湯と水を混合する部分の中間に位置する部分にソケットを追加し、分岐ができるようにし、追加した分岐部に直接当該目的のミストノズルを取り付けて使用することにより、給水側のミストノズル開閉バルブを開き反対側を閉めると、
混合栓の湯と水を混合する前の水道水がミストノズルから噴霧でき浴室冷房し、同時使用した時の混合栓のシャワーや蛇口は湯と水を混合した後の適度の湯が供給され、同時にミストノズルとシャワーや蛇口を使用してもどちらも、それぞれの安定した温度が供給されクールダウンミストサウナとシャワー等が同時に可能であるような、
温浴用ミストノズルとクールダウン用ミストノズルのどちらか一方、または、両方を有することを特徴とするサウナ暖房冷房可能なミストノズルの利用方法およびその利用方法を有する混合栓。
【請求項２】
請求項１において、ミストノズルには湯や水をミスト状に噴霧できる孔を有し、
追加したそれぞれの給湯側と給水側の偏心管の分岐部、または、ソケットの分岐部と給湯側と給水側のミストノズルの中間に開閉バルブを有し、開閉バルブを開いた状態でミストノズルの先端が外れた時には瞬時に外れた位置の給湯、給水の安全な自動停止機能等を有し、
ミストノズルの先端は容易に取り外しが可能であり、ミストノズルの先端の交換やミストノズルの中間に有するフィルターの交換が容易にでき、偏心管の分岐部、または
ソケットの分岐部の接続口やミストノズルの中間が回転または可とうし、ミストノズルの向きを前後左右上下自在に動かすことができることを特徴とするサウナ暖房冷房可能なミストノズルの利用方法およびその利用方法を有する混合栓。
【発明の詳細な説明】
【技術分野】
【０００１】
本発明は浴室内で入浴前や入浴中、入浴後等に湯または水道水を浴室内に噴霧し、温浴ミストサウナまたはクールダウンミストサウナができる機能を持ち、サウナ効果、暖房効果、冷房効果等を得るのに使用されるサウナ暖房冷房可能なミストノズル付混合栓である。
【背景技術】
【０００２】
ミストノズルを取り付けるため、面倒な配管工事が必要なものや浴室内の大幅な改装や高額な設備を必要としたものがあり、
簡単に取り付くものとして蛇口を外し蛇口が取り付いた位置の湯水吐出口に取り付けるものがあり、ミストサウナとシャワー等を同時使用するとどちらも湯と水を混合した後の同じ温度になり同時使用には不向きであるもの等が知られている。
【特許文献１】特開２００３−２７５２７２
【特許文献２】特開２００１−０８７３４２
【特許文献３】特開２０００−０３３１０８
【特許文献４】特開２００８−２００２６０
【特許文献５】特開２００３-１９１８２
【特許文献６】特開２００３−４６３
【発明の開示】
【発明が解決しようとする課題】
【０００３】
既設の偏心管がある混合栓であればツーバルブ混合栓やワンレバー混合栓、サーモ付混合栓いずれの混合栓でも分岐金具を取り付けることにより、給湯管と給水管にミストノズルを簡単に取り付けでき、新しく混合栓の製造も簡単な改造をするだけで、温浴ミストサウナやクールダウンミストサウナが浴室内ででき、
温浴ミストサウナの高温とシャワー等の適度な温度と同時使用した場合でも、それぞれの温度が安定して得られ、
または、クールダウンミストサウナの水道水温度とシャワー等の適度な温度と同時使用した場合でも、それぞれの温度が安定して得られ、サウナ暖房冷房可能なことを安価に提供することを課題としている。
【課題を解決するための手段】
【０００４】
新しく混合栓の製造する場合に給湯側と給水側に分岐部を追加し、または、偏心管自体に分岐部を追加または既設の偏心管がある混合栓に偏心管と湯と水を混合する部分の中間に位置する部分にソケットを追加し分岐ができるようにし、新設既設に関係なく混合栓に当該目的のミストノズルの取り付けが簡単にできるようにし、
温浴ミストサウナでは給湯側の分岐部にミストノズルを取り付け湯と水を混合する前の高温がミストノズルから出るように浴室をサウナ暖房し、
クールダウンミストサウナでは給水側の分岐部にミストノズルを取り付け湯と水を混合する前の水道水がミストノズルから出るように浴室を冷房し、
それぞれのミストノズルの取り付け部分には開閉バルブを有し、
温浴ミストサウナの高温とシャワー等の適度な温度と同時使用した場合でもそれぞれの温度が安定して得られ、
または、クールダウンミストサウナの水道水温度とシャワー等の適度な温度と同時使用した場合でもそれぞれの温度が安定して得られ、安価に実現できる。
【０００５】
例えば、水道水１５度、給湯温度６０度として、シャワーまたは蛇口を４０度でこのサウナ暖房冷房可能なミストノズルの利用方法およびその利用方法を有する混合栓を
温浴ミストサウナで使用した場合は
湯と水が混合される前の給湯温度６０度が温浴ミストノズルから噴霧され、シャワーまたは蛇口を湯と水を混合して４０度で出すと浴室内は温浴ミストサウナにより６０度のミスト噴霧で暖房状態になり、サウナ暖房しながら適度な温度のシャワー４０度を同時に使用することができ、
クールダウンミストサウナで使用した場合は
湯と水が混合される前の水道水温度１５度がクールダウンミストノズルから噴霧され、シャワーまたは蛇口を湯と水を混合して４０度で出すと浴室内はクールダウンミストサウナにより１５度のミスト噴霧で冷房状態になり、冷房しながら適度な温度のシャワーまたは蛇口４０度を同時に使用することができ、単独使用時においても同様の温度がそれぞれ得られる。
【発明を実施するための最良の形態】
【０００６】
浴室内の壁に給湯配管と給水配管の各接続口があり、混合栓の偏心管に給湯側と給水側の接続口を接続する混合栓において、
給湯側の偏心管自体に分岐部を追加し、または、偏心管と、湯と水を混合する部分の中間に位置する部分にソケットを追加し、分岐ができるようにし、既設の偏心管がある混合栓にも取り付けが簡単にでき、分岐部に直接当該目的のミストノズルを取り付けて使用することにより、
混合栓の湯と水を混合する前の高温の湯がミストノズルから噴霧でき、混合栓のシャワーや蛇口は湯と水を混合した後の適度の湯が供給され、同時にミストノズルとシャワーや蛇口を使用してもどちらも、それぞれの安定した温度が供給され温浴ミストサウナとシャワー等が同時に可能であり、
給水側の偏心管自体に分岐部を追加し、または、偏心管と、湯と水を混合する部分の中間に位置する部分にソケットを追加し分岐ができるようにし、既設の偏心管がある混合栓にも取り付けが簡単にでき、分岐部に直接当該目的のミストノズルを取り付けて使用することにより、
混合栓の湯と水を混合する前の水道水がミストノズルから噴霧でき、混合栓のシャワーや蛇口は湯と水を混合した後の適度の湯が供給され、同時にミストノズルとシャワーや蛇口を使用してもどちらも、それぞれの安定した温度が供給されクールダウンミストサウナとシャワー等が同時に可能であり、
温浴用ミストノズルとクールダウン用ミストノズルを有し、
それぞれのミストノズルには湯や水をミスト状に噴霧できる孔を有し、
それぞれの分岐部とミストノズルの中間に開閉バルブを有し、
ミストノズルの先端は容易に取り外しが可能であり、ミストノズルの先端の交換やミストノズルの中間に有するフィルターの交換が容易にでき、
混合栓の一部であるソケットの分岐部やミストノズルの中間が回転または可とうし、ミストノズルの向きを前後左右上下自在に動かすことができることを特徴とするサウナ暖房冷房可能なミストノズルの利用方法およびその利用方法を有する混合栓である。
【図面の簡単な説明】
【０００７】
【図１】ワンレバー混合栓とソケット分岐部の分解図
【図２】ミストノズルの取り付け例
【図３】偏心管自体に分岐がある例
【符号の説明】
【０００８】
１  混合栓の湯と水混合部(混合栓本体)  
２  給湯側偏心管
３  給水側偏心管
４  シャワーホース取り付け口
５  給湯側ソケット分岐部
６  給水側ソケット分岐部
７  蛇口
８ミストノズルとソケット分岐部との中間の開閉バルブ
９  ミストノズル先端と開閉バルブ
１０  偏心管の分岐口の例
【図１】
2010275689.tif 000003
【図２】
2010275689.tif 000004
【図３】
2010275689.tif 000005
【手続補正書】
【提出日】平成22年7月23日(2010.7.23)
【手続補正１】
【補正対象書類名】特許請求の範囲
【補正対象項目名】全文
【補正方法】変更
【補正の内容】
【特許請求の範囲】
【請求項１】
浴室内の壁に給湯配管と給水配管の各接続口があり、混合栓の各偏心管に給湯側と給水側の接続口を接続する混合栓において、
給湯側の偏心管自体に分岐口を追加し、または、偏心管と湯と水を混合する部分の中間に位置する部分にソケットを追加し分岐ができるようにし、追加した分岐口に直接当該目的のミストノズルを取り付けて使用することにより、給湯側のミストノズル開閉バルブを開き給水側(給水側にもミストノズルがあると考えた時)を閉めると、
混合栓の湯と水を混合する前の高温の湯がミストノズルから噴霧できミストサウナおよび浴室暖房し、同時使用した時の混合栓のシャワーや蛇口は湯と水を混合した後の適度の湯が供給され、同時にミストノズルとシャワーや蛇口を使用してもどちらも、それぞれの安定した温度が供給され、温浴ミストサウナとシャワー等が同時に可能であり、
給水側の偏心管自体に分岐口を追加し、または、偏心管と湯と水を混合する部分の中間に位置する部分にソケットを追加し分岐ができるようにし、追加した分岐口に直接当該目的のミストノズルを取り付けて使用することにより、給水側のミストノズル開閉バルブを開き給湯側を閉めると、
混合栓の湯と水を混合する前の水道水がミストノズルから噴霧でき浴室冷房し、同時使用した時の混合栓のシャワーや蛇口は湯と水を混合した後の適度の湯が供給され、同時にミストノズルとシャワーや蛇口を使用してもどちらも、それぞれの安定した温度が供給されクールダウンミストサウナとシャワー等が同時に可能であるような、
温浴用ミストノズルとクールダウン用ミストノズル両方を有することを特徴とするサウナ暖房冷房可能なミストノズルを有する混合栓。
【手続補正３】
【補正対象書類名】明細書
【補正対象項目名】０００１
【補正方法】変更
【補正の内容】
【０００１】
本発明は浴室内で入浴前や入浴中、入浴後等に湯または水道水を浴室内に噴霧し、温浴ミストサウナまたはクールダウンミストサウナができる機能を持ち、サウナ効果、暖房効果、冷房効果等を得るのに使用されるサウナ暖房冷房可能なミストノズルを有する混合栓である。
【手続補正４】
【補正対象書類名】明細書
【補正対象項目名】０００３
【補正方法】変更
【補正の内容】
【０００３】
偏心管がある混合栓であればツーバルブ混合栓やワンレバー混合栓、サーモ付混合栓いずれの混合栓でも偏心管自体に分岐口を追加または分岐金具を取り付けることにより、給湯管と給水管にミストノズルを簡単に取り付けでき、温浴ミストサウナやクールダウンミストサウナが浴室内ででき、
温浴ミストサウナの高温とシャワー等の適度な温度と同時使用した場合でも、それぞれの温度が安定して得られ、
または、クールダウンミストサウナの水道水温度とシャワー等の適度な温度と同時使用した場合でも、それぞれの温度が安定して得られ、サウナ暖房冷房を簡単な工事で安価に提供することを課題としている。
【手続補正５】
【補正対象書類名】明細書
【補正対象項目名】０００４
【補正方法】変更
【補正の内容】
【０００４】
偏心管がある混合栓に偏心管自体に分岐口を追加または偏心管と湯と水を混合する部分の中間に位置する部分にソケットを追加し分岐ができるようにし、混合栓に当該目的のミストノズルの取り付けが簡単にできるようにし、
温浴ミストサウナでは給湯側の分岐口にミストノズルを取り付け湯と水を混合する前の高温がミストノズルから出るように浴室をサウナ暖房し、
クールダウンミストサウナでは給水側の分岐口にミストノズルを取り付け湯と水を混合する前の水道水がミストノズルから出るように浴室を冷房し、
それぞれのミストノズルの取り付け部分には開閉バルブを有し、
温浴ミストサウナの高温とシャワー等の適度な温度と同時使用した場合でもそれぞれの温度が安定して得られ、
または、クールダウンミストサウナの水道水温度とシャワー等の適度な温度と同時使用した場合でもそれぞれの温度が安定して得られ、簡単な工事で安価に実現できる。
【手続補正６】
【補正対象書類名】明細書
【補正対象項目名】０００５
【補正方法】変更
【補正の内容】
【０００５】
例えば、水道水１５度、給湯温度６０度として、シャワーまたは蛇口を４０度でこのサウナ暖房冷房可能なミストノズルを有する混合栓を温浴ミストサウナで使用した場合は
湯と水が混合される前の給湯温度６０度が温浴ミストノズルから噴霧され、シャワーまたは蛇口に湯と水を混合して４０度で出すと浴室内は温浴ミストサウナにより６０度のミスト噴霧で暖房状態になり、サウナ暖房しながら適度な温度のシャワー４０度を同時に使用することができ、
クールダウンミストサウナで使用した場合は
湯と水が混合される前の水道水温度１５度がクールダウンミストノズルから噴霧され、シャワーまたは蛇口を湯と水を混合して４０度で出すと浴室内はクールダウンミストサウナにより１５度のミスト噴霧で冷房状態になり、冷房しながら適度な温度のシャワーまたは蛇口４０度を同時に使用することができ、単独使用時においても同様の温度がそれぞれ得られる。
【手続補正７】
【補正対象書類名】明細書
【補正対象項目名】０００６
【補正方法】変更
【補正の内容】
【０００６】
浴室内の壁に給湯配管と給水配管の各接続口があり、混合栓の各偏心管に給湯側と給水側の接続口を接続する混合栓において、
給湯側の偏心管自体に分岐口を追加し、または、偏心管と湯と水を混合する部分の中間に位置する部分にソケットを追加し分岐ができるようにし、追加した分岐口に直接当該目的のミストノズルを取り付けて使用することにより、
混合栓の湯と水を混合する前の高温の湯がミストノズルから噴霧でき、混合栓のシャワーや蛇口は湯と水を混合した後の適度の湯が供給され、同時にミストノズルとシャワーや蛇口を使用してもどちらも、それぞれの安定した温度が供給され温浴ミストサウナとシャワー等が同時に可能であり、
給水側の偏心管自体に分岐口を追加し、または、偏心管と、湯と水を混合する部分の中間に位置する部分にソケットを追加し分岐ができるようにし、偏心管がある混合栓にも取り付けが簡単にでき、分岐口に直接当該目的のミストノズルを取り付けて使用することにより、
混合栓の湯と水を混合する前の水道水がミストノズルから噴霧でき、混合栓のシャワーや蛇口は湯と水を混合した後の適度の湯が供給され、同時にミストノズルとシャワーや蛇口を使用してもどちらも、それぞれの安定した温度が供給されクールダウンミストサウナとシャワー等が同時に可能であり、
温浴用ミストノズルとクールダウン用ミストノズル両方を有し、
下記６行はミストノズルの一般的な形態であるが、最良の形態として、
それぞれのミストノズルには湯や水をミスト状に噴霧できる孔を有し、
それぞれの分岐口とミストノズルの中間に開閉バルブを有し、
ミストノズルの先端は容易に取り外しが可能であり、ミストノズルの先端の交換やミストノズルの中間に有するフィルターの交換が容易にでき、
混合栓の一部であるソケットの分岐部やミストノズルの中間が回転または可とうし、ミストノズルの向きを前後左右上下自在に動かすことができることを特徴とするサウナ暖房冷房可能なミストノズルを有する混合栓である。
【手続補正８】
【補正対象書類名】明細書
【補正対象項目名】０００７
【補正方法】変更
【補正の内容】
【０００７】
【図１】ワンレバー混合栓とソケット分岐口の分解図
【図２】ミストノズルの取り付け例
【図３】偏心管自体に分岐口がある例
【手続補正９】
【補正対象書類名】明細書
【補正対象項目名】０００８
【補正方法】変更
【補正の内容】
【０００８】
１  混合栓の湯と水混合部(混合栓本体)  
２  給湯側偏心管
３  給水側偏心管
４  シャワーホース取り付け口
５  給湯側ソケット分岐口
６  給水側ソケット分岐口
７  蛇口
８  ミストノズルとソケット分岐部との中間の開閉バルブ
９  ミストノズル先端
１０  偏心管の分岐口の例
【手続補正１０】
【補正対象書類名】図面
【補正対象項目名】図１
【補正方法】変更
【補正の内容】
【図１】
2010275689.tif 000006
【手続補正１１】
【補正対象書類名】図面
【補正対象項目名】図２
【補正方法】変更
【補正の内容】
【図２】
2010275689.tif 000007